(57)【要約】【課題】ＩＤカード等の記録媒体の製造コストを削減できる記録媒体製造装置を提供する。【解決手段】搬送経路１０２に沿って記録媒体を搬送する搬送部１０１と、搬送経路上の記録媒体の内部に個人情報および機密情報を除く第１情報を書込む第１書込み部１０４、１０５と、第１書込み部よりも搬送経路の下流側にて、記録媒体の表面に印刷を行う印刷部１０６、１０７と、印刷部よりも搬送経路の下流側にて、記録媒体の内部に個人情報および機密情報の少なくとも一方を含む第２情報を書込む第２書込み部１０９と、第１情報の書込みが正常に終了しなかった場合に印刷部による印刷を禁止させる制御部１１３と、を備える。【選択図】図１
2017199137.tif 000002
【特許請求の範囲】
【請求項１】
搬送経路に沿って記録媒体を搬送する搬送部と、
前記搬送経路上の前記記録媒体の内部に個人情報および機密情報を除く第１情報を書込む第１書込み部と、
前記第１書込み部よりも前記搬送経路の下流側にて、前記記録媒体の表面に印刷を行う印刷部と、
前記印刷部よりも前記搬送経路の下流側にて、前記記録媒体の内部に個人情報および機密情報の少なくとも一方を含む第２情報を書込む第２書込み部と、
前記第１情報の書込みが正常に終了しなかった場合に前記印刷部による印刷を禁止させる制御部と、を備える記録媒体製造装置。
【請求項２】
前記制御部は、前記第１情報の書込みが正常に終了しなかった場合に前記第２書込み部による前記第２情報の書込みを禁止させる請求項１に記載の記録媒体製造装置。
【請求項３】
前記制御部は、前記第１情報の書込みの途中に書込みエラーが生じた場合に前記記録媒体に途中まで書込まれた前記第１情報を削除する制御を行う請求項１または２に記載の記録媒体製造装置。
【請求項４】
前記制御部は、前記搬送部が前記記録媒体を搬送可能である場合に、前記第１情報を削除する制御を行う請求項３に記載の記録媒体製造装置。
【請求項５】
前記制御部は、前記第１情報の書込みが正常に終了しなかった場合に前記記録媒体を使用不能状態に設定する制御を行う請求項１〜４のいずれか１項に記載の記録媒体製造装置。
【請求項６】
前記制御部は、前記搬送部が前記記録媒体を搬送可能である場合に、前記記録媒体を使用不能状態に設定する制御を行う請求項５に記載の記録媒体製造装置。
【発明の詳細な説明】
【技術分野】
【０００１】
本発明は、記録媒体製造装置に関する。
【背景技術】
【０００２】
ＩＣ（集積回路）が組み込まれたＩＤ（識別）カードを作成するＩＤカード作成プリンタは、カード本体の表面に本人の顔写真や文字を印刷し、ＩＣに本人に関する情報を書込むことでＩＤカードを作成する。
【先行技術文献】
【特許文献】
【０００３】
【特許文献１】特許第４１６８１６５号公報
【発明の概要】
【発明が解決しようとする課題】
【０００４】
しかしながら、従来のＩＤカード作成プリンタでは、印刷後にＩＣへの書込みを行っていたため、ＩＣへの書込みが失敗した場合に印刷に用いたインクが無駄になるといった問題があった。
【０００５】
本発明が解決しようとする課題は、ＩＤカード等の記録媒体の製造コストを削減できる記録媒体製造装置を提供することである。
【課題を解決するための手段】
【０００６】
上記の課題を解決するために、本発明の一態様では、
搬送経路に沿って記録媒体を搬送する搬送部と、
前記搬送経路上の前記記録媒体の内部に個人情報および機密情報を除く第１情報を書込む第１書込み部と、
前記第１書込み部よりも前記搬送経路の下流側にて、前記記録媒体の表面に印刷を行う印刷部と、
前記印刷部よりも前記搬送経路の下流側にて、前記記録媒体の内部に個人情報および機密情報の少なくとも一方を含む第２情報を書込む第２書込み部と、
前記第１情報の書込みが正常に終了しなかった場合に前記印刷部による印刷を禁止させる制御部と、を備える記録媒体製造装置が提供される。
【０００７】
前記制御部は、前記第１情報の書込みが正常に終了しなかった場合に前記第２書込み部による前記第２情報の書込みを禁止させてもよい。
【０００８】
前記制御部は、前記第１情報の書込みの途中に書込みエラーが生じた場合に前記記録媒体に途中まで書込まれた前記第１情報を削除する制御を行ってもよい。
【０００９】
前記制御部は、前記搬送部が前記記録媒体を搬送可能である場合に、前記第１情報を削除する制御を行ってもよい。
【００１０】
前記制御部は、前記第１情報の書込みが正常に終了しなかった場合に前記記録媒体を使用不能状態に設定する制御を行ってもよい。
【００１１】
前記制御部は、前記搬送部が前記記録媒体を搬送可能である場合に、前記記録媒体を使用不能状態に設定する制御を行ってもよい。
【発明の効果】
【００１２】
本発明によれば、記録媒体の製造コストを削減できる。
【図面の簡単な説明】
【００１３】
【図１】本実施形態によるＩＤカード作成プリンタを示す図。
【図２】図１のＩＤカード作成プリンタで製造可能なＩＤカードの外観を示す図。
【図３】図２のＩＤカードのＩＣの内部構造を示す図。
【図４】図１のＩＤカード作成プリンタの動作例を示すフローチャート。
【発明を実施するための形態】
【００１４】
以下、図面を参照して本発明の実施形態について説明する。なお、実施形態は本発明を限定するものではない。
【００１５】
図１は、本実施形態による記録媒体製造装置の一例としてのＩＤカード作成プリンタ１を模式的に示す図である。図２は、記録媒体の一例として図１のＩＤカード作成プリンタ１で製造可能なＩＤカード２の外観を示す図である。図３は、図２のＩＤカード２のＩＣ２２の内部構造を示す図である。ＩＤカード作成プリンタ１は、図２に示すＩＤカード２を製造する。
【００１６】
ここで、ＩＤカード作成プリンタ１より先にＩＤカード２について説明する。ＩＤカード２は、例えば、従業員証および入構証などに用いることができる。ＩＤカード２の用途はこれらに限定されない。
【００１７】
図２および図３に示すように、ＩＤカード２は、カード本体２１とＩＣ２２とを有する。カード本体２１の表面には、例えば、本人の顔写真等の画像情報２１ａと、氏名、所属部署名、ＩＤ番号および会社名等の文字情報２１ｂとが印刷されている。ＩＣ２２には、本人に関する各種の情報が記録されている。
【００１８】
図３に示すように、ＩＣ２２は、アナログ回路２２１と、ロジック回路２２２と、ＣＰＵ２２３と、コプロセッサ２２４と、メモリ２２５と、ＲＯＭ２２６とＲＡＭ２２７とを有する。アナログ回路２２１は、ＩＤカード作成プリンタ１との間でアナログ信号によって情報を送受信する。ロジック回路２２２は、アナログ回路２２１との間およびＣＰＵ２２３との間でデジタル信号によって情報を送受信する。ＣＰＵ２２３は、ロジック回路２２２から受信した情報のメモリ２２５への書込みと、ロジック回路２２２に送信すべき情報のメモリ２２５からの読み出しとを行う。コプロセッサ２２４は、メモリ２２５に書込まれる情報の暗号化などに用いられる。ＲＯＭ２２６には、ＣＰＵ２２３の実行プログラムが記憶されている。ＲＡＭ２２７は、ＣＰＵ２２３が処理する情報の一時的な格納に用いられる。
【００１９】
図１に示すように、ＩＤカード作成プリンタ１は、作成装置１００と制御装置１２０とを備える。作成装置１００は、画像情報２１ａや文字情報２１ｂの印刷およびＩＣ２２への情報の書込みがなされていない状態のＩＤカード２（以下、ＩＣカード２０という）に情報２１ａ、２１ｂの印刷およびＩＣ２２への書込みを行うことでＩＤカード２を作成する装置である。制御装置１２０は、作成装置１００によるＩＤカード２の作成を制御する装置である。
【００２０】
作成装置１００は、ＩＣカード２０を搬送する搬送部１０１を有する。搬送部１０１は、上流端１０２ａから下流端１０２ｂまで延びるＩＣカード２０の搬送経路１０２を有する。搬送部１０１は、搬送経路１０２上にＩＣカード２０を載置した状態で、搬送経路１０２に沿って下流側にＩＣカード２０を搬送する。搬送部１０１は、例えば、ベルトコンベアであってもよい。
【００２１】
作成装置１００は、搬送経路１０２に沿って順に、カード供給部１０３と、第１書込み部の一例である第１リーダライタ（ＲＷ）１０４および第２リーダライタ（ＲＷ）１０５と、印刷部の一例である印画処理部１０６および印字処理部１０７と、保護層処理部１０８と、第２書込み部の一例である第３リーダライタ（ＲＷ）１０９と、カード排出部１１０と、カード収納部１１１とを備える。また、作成装置１００は、通信処理部１１２と、制御部の一例である制御処理部１１３と、操作部１１４と、表示部１１５とを備える。
【００２２】
カード供給部１０３は、搬送経路１０２の上流端１０２ａに配置されている。カード供給部１０３は、搬送経路１０２の搬送面１０２ｃすなわち上面にＩＣカード２０を供給する。カード供給部１０３は、例えば、ＩＣカード２０を積層して収納するとともに１枚ずつ搬送経路１０２に繰り出すホッパであってもよい。
【００２３】
第１リーダライタ１０４は、カード供給部１０３の下流において上方から搬送経路１０２の搬送面１０２ｃに対向している。第１リーダライタ１０４は、搬送経路１０２上を搬送されるＩＣカード２０の内部のメモリ２２５に個人情報および機密情報を除く第１情報を書込む。また、第１リーダライタ１０４は、第１情報を書込むために、例えば、メモリ２２５の記憶領域の情報などの所定の情報をＩＣカード２０から読出してもよい。第１情報は、例えば、個人が属する団体に関する情報のうち、個人を特定しない情報または重要度が低い情報である。第１情報は、社員証における法人名や所属部署名などであってもよい。第１リーダライタ１０４は、例えば、非接触型ＩＣカードリーダライタであってもよい。
【００２４】
第２リーダライタ１０５は、第１リーダライタ１０４よりも搬送経路１０２の下流において上方から搬送面１０２ｃに対向している。第２リーダライタ１０５は、第１リーダライタ１０４の下流に搬送されたＩＣカード２０のメモリ２２５に第１情報を書込む。
【００２５】
第２リーダライタ１０５は、第１リーダライタ１０４で第１情報が書込まれるＩＣカード２０と異なるＩＣカード２０に、第１リーダライタ１０４で書込まれる第１情報と同種の第１情報を書込んでもよい。または、第２リーダライタ１０５は、第１リーダライタ１０４で第１情報が書込まれたＩＣカード２０に、第１リーダライタ１０４で書込まれた第１情報と異なる種類の第１情報を書込んでもよい。また、ＩＣカード２０の個数または第１情報のデータ量が少ない場合には、第２リーダライタ１０の配置または第２リーダライタ１０５による書込みを省略してもよい。第２リーダライタ１０の構成は、第１リーダライタ１０４と同じであっても異なってもよい。
【００２６】
印画処理部１０６は、第２リーダライタ１０５よりも搬送経路１０２の下流において上方から搬送面１０２ｃに対向している。印画処理部１０６は、第２リーダライタ１０５の下流に搬送されたＩＣカード２０の表面に画像情報２１ａの印刷（以下、印画ともいう）を行う。印画処理部１０６は、例えば、シアン、イエローおよびマゼンタ等の各色のインク層を担持したインクリボンを搭載し、インク層のインクをＩＣカード２０の表面に熱転写するサーマルプリンタであってもよい。
【００２７】
印字処理部１０７は、印画処理部１０６よりも搬送経路１０２の下流において上方から搬送面１０２ｃに対向している。印字処理部１０７は、印画処理部１０６の下流に搬送されたＩＣカード２０の表面に文字情報２１ｂの印刷（以下、印字ともいう）を行う。印字処理部１０７は、例えば、ブラックのインク層を担持したインクリボンを搭載したサーマルプリンタであってもよい。印字処理部１０７は、印画処理部１０６と一体の構成であってもよい。
【００２８】
保護層処理部１０８は、印字処理部１０７よりも搬送経路１０２の下流において上方から搬送面１０２ｃに対向している。保護層処理部１０８は、印字処理部１０７の下流に搬送されたＩＣカード２０の表面に保護層を形成する。保護層処理部１０８は、例えば、保護層を担持したオーバーコート用のインクリボンを搭載したサーマルプリンタであってもよい。
【００２９】
第３リーダライタ１０９は、保護層処理部１０８よりも搬送経路１０２の下流において上方から搬送面１０２ｃに対向している。第３リーダライタ１０９は、保護層処理部１０８の下流に搬送されたＩＣカード２０のメモリ２２５に、個人情報および機密情報の少なくとも一方を含む第２情報を書込む。また、第３リーダライタ１０９は、第２情報を書込むために、例えば、メモリ２２５の記憶領域の情報などの所定の情報をＩＣカード２０から読み出してもよい。第２情報は、例えば、個人が属する団体に関する情報のうち、個人を特定する情報である。第２情報は、社員証における社員の氏名やＩＤ番号などであってもよい。なお、後述するように、第３リーダライタ１０９は、メモリ２２５に書込まれた情報を削除するために用いられる場合がある。第３リーダライタ１０９は、第１リーダライタ１０４と構成が同じであっても異なってもよい。
【００３０】
カード排出部１１０は、第３リーダライタ１０９よりも搬送経路１０２の下流において下方から搬送面１０２ｃに対向している。カード排出部１１０は、メモリ２２５から情報を削除したＩＣカード２０を排出する。
【００３１】
カード収納部１１１は、カード排出部１１０よりも搬送経路１０２の下流において上方から搬送面１０２ｃに対向している。カード収納部１１１は、作成されたＩＤカード２を収容する。
【００３２】
通信処理部１１２は、制御装置１２０との通信で、制御装置１２０から第１情報、第２情報、画像情報および文字情報等のＩＤカード２の作成に用いる作成用データを受信する。
【００３３】
制御処理部１１３は、通信処理部１１２で受信した作成用データのうち第１情報を書込むように第１リーダライタ１０４および第２リーダライタ１０５を制御する。また、制御処理部１１３は、作成用データのうち第２情報を書込むように第３リーダライタ１０９を制御する。また、制御処理部１１３は、作成用データのうち画像情報を印刷するように印画処理部１０６を制御する。また、制御処理部１１３は、作成用データのうち文字情報を印刷するように印字処理部１０７を制御する。
【００３４】
制御処理部１１３は、ＩＣカード２０への第１情報の書込みが正常に終了しなかった場合に、印画処理部１０６によるＩＣカード２０への印画および印字処理部１０７によるＩＣカード２０への印字を禁止させる。第１情報の書込みが正常に終了しなかった場合とは、第１情報の書込みが全くできなかった場合および第１情報の書込みの途中で書込みエラーが生じた場合の双方を含む。第１情報の書込みが正常に終了しなかった場合とは、第１情報の書込みが異常終了した場合でもある。
【００３５】
第１情報の書込みが正常に終了しなかったＩＣカード２０は、ＩＤカード２として完成しない。もし、ＩＤカード２として完成しないＩＣカード２０に印画および印字を行う場合、インクが無駄に消費されることになる。これに対して、本実施形態によれば、第１情報の書込みが正常に終了しなかったＩＣカード２０への印画および印字を禁ずることができるので、インクの無駄な消費を防止できる。
【００３６】
制御処理部１１３は、第１情報の書込み途中の書込みエラーによって第１情報の書込みが正常に終了しなかった場合に、メモリ２２５に途中まで書込まれた第１情報を削除するように第３リーダライタ１０９を制御する。既述したように、本実施形態では、第１情報の書込みが正常に終了しなかったＩＣカード２０への印画および印字を行わない。したがって、書込みエラーが生じたＩＣカード２０から途中まで書込まれた第１情報を削除することで、作成装置１００による処理前の状態のＩＣカード２０を得ることができる。作成装置１００による処理前の状態のＩＣカード２０が得られることで、ＩＣカード２０を再利用できる。
【００３７】
なお、第１情報を削除する制御は、搬送部１０１によるＩＣカード２０の搬送が可能な場合すなわちジャムエラーが生じていない場合に行うようにしてもよい。また、印画や印字にエラーが生じた場合にも、制御処理部１１３は、メモリ２２５から第１情報を削除するように第３リーダライタ１０９を制御してもよい。また、第２情報の書込みにエラーが生じた場合に、制御処理部１１３は、メモリ２２５から第１情報および途中まで書込まれた第２情報を削除するように第３リーダライタ１０９を制御してもよい。
【００３８】
制御処理部１１３は、ＩＣカード２０への第１情報の書込みが正常に終了しなかった場合に、書込みが正常に終了しなかったＩＣカード２０への第３リーダライタ１０９による第２情報の書込みを禁止させてもよい。この場合に、制御処理部１１３は、例えば、第１リーダライタ１０４または第２リーダライタ１０５から第３リーダライタ１０９までのＩＣカード２０の搬送の所要時間に基づいて、第１情報の書込みが正常に終了しなかったＩＣカード２０を識別してもよい。第１情報の書込みが正常に終了せずにＩＤカード２として完成しないＩＣカード２０に個人情報や機密情報を含む第２情報を書込むことは、無駄な処理であるばかりでなく、セキュリティの観点からも好ましくない。第１情報の書込みが正常に終了しなかったＩＣカード２０への第２情報の書込みを禁止することで、無駄な処理の回避およびセキュリティ性の向上が可能となる。
【００３９】
制御処理部１１３は、ＩＣカード２０への第１情報の書込みが正常に終了しなかった場合に、ＩＣカード２０を使用不能状態に設定するように第３リーダライタ１０９を制御してもよい。使用不能状態への設定は、ＩＣカード２０の閉塞すなわちロックであってもよい。第１情報の書込みが正常に終了せずにＩＤカード２として完成しないＩＣカード２０をメモリ２２５内の情報を読み出し可能な状態で排出することは、セキュリティの観点から好ましくない。第１情報の書込みが正常に終了しなかったＩＣカード２０を使用不能状態に設定することで、セキュリティ性を向上できる。なお、ＩＣカード２０を使用不能状態に設定する制御は、搬送部１０１によるＩＣカード２０の搬送が可能な場合すなわちジャムエラーが生じていない場合に行うようにしてもよい。
【００４０】
操作部１１４および表示部１１５は、操作画面を用いた作成装置１００への入力操作を受け付ける。入力操作では、例えば、ＩＣカード２０の搬送速度や第１情報の書込みが正常に終了しなかったＩＣカード２０の処理内容等の各種の製造条件を入力してもよい。
【００４１】
制御装置１２０は、制御処理部１２１と、通信処理部１２２と、操作部１２３と、表示部１２４とを備える。制御処理部１２１は、作成用データを作成する。通信処理部１２２は、制御処理部１２１で作成された作成用データを、作成装置１００の通信処理部１１２に送信する。操作部１１４および表示部１１５は、作成データを作成するための操作画面を用いた制御装置１２０への入力操作を受け付ける。
【００４２】
（動作例）
次に、図１のＩＤカード作成プリンタ１の動作例について説明する。図４は、図１のＩＤカード作成プリンタ１の動作例を示すフローチャートである。
【００４３】
図４に示すように、先ず、作成装置１００の通信処理部１１２は、制御装置１２０の通信処理部１２２から作成用データを受信する（ステップＳ１）。
【００４４】
作成用データを受信した後、搬送部１０１は、制御処理部１１３の制御により、ＩＣカード２０の搬送を開始する（ステップＳ２）。
【００４５】
ＩＣカード２０の搬送開始後、第１リーダライタ１０４は、制御処理部１１３の制御により、ＩＣカード２０への第１情報の書込みを開始する（ステップＳ３）。
【００４６】
第１リーダライタ１０４による第１情報の書込み開始後、制御処理部１１３は、第１情報の書込みが正常に終了したか否かを判定する（ステップＳ４）。第１リーダライタ１０４による第１情報の書込みが正常に終了した場合（ステップＳ４：Ｙｅｓ）、第２リーダライタ１０５は、制御処理部１１３の制御により、第１リーダライタ１０４による書込みが行われたＩＣカード２０への第１情報の書込みを開始する（ステップＳ５）。なお、ここでの第１情報は、第１リーダライタ１０４で書込まれた第１情報と異なる情報である。
【００４７】
第２リーダライタ１０５による第１情報の書込み開始後、制御処理部１１３は、第１情報の書込みが正常に終了したか否かを判定する（ステップＳ６）。第２リーダライタ１０５による第１情報の書込みが正常に終了した場合（ステップＳ６：Ｙｅｓ）、印画処理部１０６は、制御処理部１１３の制御により、第１情報が書込まれたＩＣカード２０への印画を開始する（ステップＳ７）。
【００４８】
印画の開始後、制御処理部１１３は、印画が正常に終了したか否かを判定する（ステップＳ８）。印画が正常に終了した場合（ステップＳ８：Ｙｅｓ）、印字処理部１０７は、制御処理部１１３の制御により、印画されたＩＣカード２０への印字を開始する（ステップＳ９）。
【００４９】
印字の開始後、制御処理部１１３は、印字が正常に終了したか否かを判定する（ステップＳ１０）。印字が正常に終了した場合（ステップＳ１０：Ｙｅｓ）、保護層処理部１０８は、制御処理部１１３の制御により、印字されたＩＣカード２０への保護層の形成を開始する（ステップＳ１１）。
【００５０】
保護層の形成開始後、制御処理部１１３は、保護層の形成が正常に終了したか否かを判定する（ステップＳ１２）。保護層の形成が正常に終了した場合（ステップＳ１２：Ｙｅｓ）、第３リーダライタ１０９は、制御処理部１１３の制御により、保護層が形成されたＩＣカード２０への第２情報の書込みを開始する（ステップＳ１３）。このとき、作成装置１００は、不図示の撮像装置でＩＣカード２０のカード本体２１に印字されたＩＤ番号を撮像し、撮像されたＩＤ番号が第２情報中のＩＤ番号と一致する場合に当該第２情報を書込むようにしてもよい。これにより、誤った第２情報が書込まれることを防止できる。
【００５１】
第２情報の書込み開始後、制御処理部１１３は、第２情報の書込みが正常に終了したか否かを判定する（ステップＳ１４）。第２情報の書込みが正常に終了した場合（ステップＳ１４：Ｙｅｓ）、カード収納部１１１は、ＩＤカード２を収納する（ステップＳ１５）。
【００５２】
一方、印画が正常に終了しなかった場合（ステップＳ８：Ｎｏ）、印字が正常に終了しなかった場合（ステップＳ１０：Ｎｏ）または保護層の形成が正常に終了しなかった場合（ステップＳ１２：Ｎｏ）、制御処理部１１３は、ＩＣカード２０が搬送可能であるか否かを判定する（ステップＳ１６）。ＩＣカード２０が搬送可能でない場合（ステップＳ１６：Ｎｏ）、作成装置１００は、エラー処理を行う（ステップＳ１７）。エラー処理では、ＩＣカード２０に穴をあける等してＩＣカード２０を使用できなくする。
【００５３】
また、第１リーダライタ１０４による書込みが正常に終了しなかった場合（ステップＳ４：Ｎｏ）または第２リーダライタ１０５よる書込みが正常に終了しなかった場合（ステップＳ６：Ｎｏ）、制御処理部１１３の制御により、印画（ステップＳ７）、印字（ステップＳ９）、保護層の形成（ステップＳ１１）および第２情報の書込み（ステップＳ１３）が禁止される。この場合、制御処理部１１３は、メモリ２２５にアクセス可能であるか否かを判定する（ステップＳ１８）。また、ＩＣカード２０が搬送可能である場合（ステップＳ１６：Ｙｅｓ）にも、制御処理部１１３は、メモリ２２５にアクセス可能であるか否かを判定する（ステップＳ１８）。メモリ２２５にアクセス可能である場合（ステップＳ１８：Ｙｅｓ）、第３リーダライタ１０９は、制御処理部１１３の制御により、メモリ２２５に書込まれた情報を削除する（ステップＳ１９）。このとき、第３リーダライタ１０９は、例えば、メモリ２２５に書込まれた全ての情報を削除する。第３リーダライタ１０９は、メモリ２２５に書込まれた情報のうち書込みが正常に終了しなかった情報のみを削除してもよい。
【００５４】
一方、メモリ２２５にアクセス可能でない場合（ステップＳ１８：Ｎｏ）、エラー処理を行う（ステップＳ１７）。
【００５５】
以上述べたように、本実施形態によれば、ＩＣカード２０への第１情報の書込みが正常に終了しなかった場合に、ＩＣカード２０への印画および印字を禁止することで、インクが無駄に消費されることを防止できる。これにより、ＩＤカード２の製造コストを削減できる。
【００５６】
また、本実施形態によれば、第１リーダライタ１０４と第２リーダライタ１０５とを備えることで、２つのＩＣカード２０に同時に同種の第１情報の全部を書込むこと、または、２つのＩＣカード２０に同時に同種の第１情報の異なる部分を書込むことが可能となる。これにより、大量のＩＤカード２を効率的に製造できる。
【００５７】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００５８】
１  ＩＤカード作成プリンタ、１０１  搬送部、１０４  第１リーダライタ、１０５  第２リーダライタ、１０６  印画処理部、１０７  印字処理部、１０９  第３リーダライタ、１１３  制御処理部、２  ＩＤカード、２０  ＩＣカード
【図１】
2017199137.tif 000003
【図２】
2017199137.tif 000004
【図３】
2017199137.tif 000005
【図４】
2017199137.tif 000006